(57)【要約】【課題】プラント監視制御装置のオンラインデータをもとに、リアルタイムにかつ自動的に設備台帳管理システムのデータベースを構築することにある。【解決手段】プラント設備の運転状態・故障発生状況などの監視制御を行う監視制御装置２１と、プラント設備の管理に用いられる工事台帳データ群４７と機器台帳データ群４６を有する設備台帳データベース４３と、監視制御装置からリアルタイムにデータを受信して記憶する受信データ一次記憶エリア５に格納するオンラインデータ受信部２及び受信データ一次記憶エリアのデータと設備台帳データベースの構成を定義したデータ格納先定義データ７とを編集処理し、書込みデータ一次記憶エリア６に格納するデータ編集処理部３及び書込みデータ一次記憶エリアのデータを設備台帳データベースに書込むデータ書込み処理部４を有する設備台帳データベース自動構築装置１とを備える。【選択図】    図１
2005070837.tif 000002
【特許請求の範囲】
【請求項１】
プラント設備の運転状態・故障発生状況などの監視制御を行う監視制御装置と、前記設備の管理に用いられる工事台帳データ群と機器台帳データ群を有する設備台帳データベースとを備え、前記監視制御装置からリアルタイムにデータを収集し、前記収集したデータと前記設備台帳データベースの構成を定義したデータ格納先定義データとを編集処理し、前記編集処理したデータを書込みデータ記憶エリアに格納し、前記書込みデータ記憶エリアのデータを前記設備台帳データベースに書込み、前記設備台帳データベースを自動構築することを特徴とする設備台帳管理システム。
【請求項２】
プラント設備の運転状態・故障発生状況などの監視制御を行う監視制御装置からリアルタイムにデータを収集し、前記収集したデータと前記設備の管理に用いられる設備台帳データベースの構成を定義したデータ格納先定義データとを編集処理し、前記編集処理したデータを書込みデータ記憶エリアに格納し、前記書込みデータ記憶エリアのデータを前記設備台帳データベースに書込み、前記設備台帳データベースを自動構築することを特徴とする設備台帳管理方法。
【請求項３】
プラント設備の運転状態・故障発生状況などの監視制御を行う監視制御装置と、前記設備の管理に用いられる工事台帳データ群と機器台帳データ群を有する設備台帳データベースと、前記監視制御装置からリアルタイムにデータを受信して記憶する受信データ記憶エリアに格納するオンラインデータ受信部および前記受信データ記憶エリアのデータと前記設備台帳データベースの構成を定義したデータ格納先定義データとを編集処理し、書込みデータ記憶エリアに格納するデータ編集処理部および前記書込みデータ記憶エリアのデータを前記設備台帳データベースに書込むデータ書込み処理部を有する設備台帳データベース自動構築装置とを備えることを特徴とする設備台帳管理装置。
【請求項４】
請求項３において、前記設備台帳データベース自動構築装置は、データ入力端末から入力された前記設備台帳データベースのデータごとの格納先を表す格納先定義データを格納処理する定義入力処理部を有することを特徴とする設備台帳管理装置。
【発明の詳細な説明】
【０００１】
【発明の属する技術分野】
本発明は、設備台帳管理システムおよび方法と装置に係り、特に、プラント設備の管理に用いられる設備台帳管理システムのデータベースをプラントの監視制御のデータをもとに自動構築する技術に関する。
【０００２】
【従来の技術】
従来の設備台帳管理システムでは、設備台帳管理システムに接続されたデータ入力端末から各種設備データを手入力してデータベースの構築をしている。
例えば、特許文献１には、データ入力端末から操作員や運転員がプラントを巡回するなどして収集したデータを手入力してデータベースヲ構築することが記載されている。また、特許文献２には、開始／停止を含む稼動状況、故障状況を記憶する記憶手段を有し、設備の構成要素に基づいて手入力された開始／停止を含む稼動状況および故障状況を判断することが記載され、ここでは、出力する動作状況判断・推定手段を有する稼動・故障状況検出部や開始／停止、故障データを外部に伝送する情報伝送部が示されている。しかし、稼動状況、故障状況を自動でプラント監視制御装置より収集する手段が記されていない。
【０００３】
【特許文献１】
特開２０００−１１２５０３公報
【特許文献２】
特開平７−４９７１２号公報
【０００４】
【発明が解決しようとする課題】
従来の設備台帳管理システムでは、データベースの構築はデータ入力端末から操作員や運転員がプラント設備を巡回するなどして収集したデータを手入力して構築していた。すなわち、プラントの監視制御装置のオンラインデータをもとに、リアルタイムにかつ自動的に設備台帳管理システムのデータベースを構築することについては言及されていない。
【０００５】
本発明の課題は、プラント設備の監視制御装置のオンラインデータをもとに、リアルタイムにかつ自動的に設備台帳管理システムのデータベースを構築することにある。
【０００６】
【課題を解決するための手段】
上記課題を解決するため、プラント設備の運転状態・故障発生状況などの監視制御を行う監視制御装置と、プラント設備の管理に用いられる工事台帳データ群と機器台帳データ群を有する設備台帳データベースとを備え、監視制御装置からリアルタイムにデータを収集し、収集したデータと設備台帳データベースの構成を定義したデータ格納先定義データとを編集処理し、編集処理したデータを書込みデータ記憶エリアに格納し、書込みデータ記憶エリアのデータを設備台帳データベースに書込み、設備台帳データベースを自動構築する。
【０００７】
【発明の実施の形態】
以下、本発明の実施形態を図面を用いて説明する。
図１は、本発明による設備台帳管理システムおよび方法と装置の一実施形態の構成を示すブロック図である。
図１において、監視制御装置２１は、設備２４における設備１の機器１，２，…、設備２の機器１１，…の運転状態・故障発生状況などをオンラインデータ格納部２３で蓄積し、このオンラインデータを送信するオンラインデータ送信部２２から構成される。設備台帳管理装置４１は、設備の管理に用いられる工事台帳データ群４７と、機器動作時間データや機器動作回数データや機器故障履歴データを持つ機器台帳データ群４６とからなる設備台帳データベース４３と、データ管理部４２から構成される。また、データベースの構築定義を入力するデータ入力端末４４と設備台帳データベースの状況を確認する表示端末４５を備える。
設備台帳管理システムデータベース自動構築装置１は、オンラインデータを受信するオンラインデータ受信部２で処理し、受信したデータを次記憶するための受信データ一次記憶エリア５と、設備台帳データベース４３のデータの構成をデータ入力端末４４から入力し、データ格納先定義データ７に格納する定義入力処理部８と、受信データとデータ格納先定義データ７とから設備台帳データベース４３に書込むデータを編集作成し、書込みデータ一次記憶エリア６に格納するデータ編集処理部３と、書込みデータ一次記憶エリア６のデータを設備台帳データベースに格納するデータ書込み処理部４とで構成される。
【０００８】
監視制御装置２１では、設備の機器の運転状態・故障発生状況などをオンラインデータ格納部２３で蓄積している。設備台帳管理システムデータベース自動構築装置１は、オンラインデータ受信部２で監視制御装置２１のオンラインデータ送信部２２からオンラインデータ格納部２３のオンラインデータを受信し、受信データ一次記憶エリア５に一次記憶する。定義入力処理部８は、データ入力端末４４から設定される設備台帳データベース４３のデータごとの格納先を表すデータを入力し、データ格納先定義データ７に格納する。
データ編集処理部３は、受信データ一次記憶エリア５のオンラインデータとデータ格納先定義データ７とから設備台帳データベース４３に書込むデータを編集し、書込みデータ一次記憶エリア６に格納する。データ書込み処理部４は、書込みデータ一次記憶エリア６にデータが作成された時点でデータ編集処理部３から起動され、書込みデータ一次記憶エリア６のデータを索引し、設備台帳データベース４３の定義された機器台帳データ群４６にデータを格納する。
【０００９】
図２は、設備台帳データベース自動構築装置１の機能を監視制御装置２１から設備台帳データベース４３までのデータの流れで機能を示したものである。
設備台帳管理システムデータベース自動構築装置１は、設備２４のデータを監視制御装置２１のオンラインデータ送信部２２からオンラインデータ受信部２で受信し、受信した設備、機器、動作時間を受信データ一次記憶エリア５に格納する。
定義入力処理部８は、データ入力端末４４で設定される設備、機器及び情報種別（例：動作時間）に対応する設備台帳データベース４３のアドレスをデータ格納先定義データ７に格納する。
データ編集処理部３は、データ格納先定義データ７の設備、機器、情報種別毎に定義されたアドレスと、受信データ一次記憶エリア５の設備、機器、動作時間のデータから、設備台帳データベース４３内の書込みアドレスと書込みデータを編集して書込みデータ一次記憶エリア６に格納する。
データ書込み処理部４は、書込みデータ一次記憶エリア６のデータを参照し、指定された機器台帳データ群４６のアドレスにデータを格納する。
【００１０】
図３は、データ格納先定義データ７の内容を示したものである。設備単位に構成されており、設備には該当する機器が割り当てられ、各々機器毎に動作回数、動作時間、故障履歴を持っている。動作回数、動作時間、故障履歴に情報種別毎のアドレスが割り振られ、この情報種別毎のアドレスが機器台帳データ群４６に格納するときのアドレスとなる。
【００１１】
【発明の効果】
以上説明したように、本発明によれば、プラントの監視制御装置からオンラインデータをリアルタイムに取得し、取得したデータと設備台帳データベースの構成を定義したデータ格納先定義データとを編集処理することによって、設備台帳データベースを自動構築するので、運転員がデータを収集しなくても、機器のメンテナンスや交換時期の判断に役立てることができるデータをリアルタイムにかつ自動的に収集することができ、現場を周回してデータを収集してデータを入力する手間を大幅に低減化することができる。
また、設備が大規模になると、監視制御装置の容量が増え、データ収集の量が増えるため、更にデータを入力する手間を大幅に低減化することができる。
【図面の簡単な説明】
【図１】本発明による設備台帳管理システムおよび方法と装置の一実施形態の構成を示すブロック図
【図２】本発明の設備台帳データベース自動構築装置のデータの流れ図
【図３】本発明のデータ格納先定義データの構成を示した図
【符号の説明】
１…設備台帳データベース自動構築装置、２…オンラインデータ受信部、３…データ編集処理部、４…データ書込み処理部、５…受信データ一次記憶エリア、６…書込みデータ一次記憶エリア、７…データ格納先定義データ、８…定義入力処理部、２１…監視制御装置、４１…設備台帳管理装置
【図１】
2005070837.tif 000003
【図２】
2005070837.tif 000004
【図３】
2005070837.tif 000005